(57)【特許請求の範囲】
【請求項１】
廃棄物を搬入して埋め立てる造成前の埋立て予定地を区画して始点側から終点側に並んだ複数の単位埋立てピット区画を形成し、前記始点側の区画を造成して単位埋立てピットを形成し、該少なくとも１つの単位埋立てピット及び該単位埋立てピットに隣接する終点側の少なくとも１つの単位埋立てピット区画の上部を覆う屋根を移設可能に設け、該屋根の下で、始点側の単位埋立てピットに廃棄物を搬入して埋め立てるとともに、前記隣接する終点側の単位埋立てピット区画の造成を行い、前記単位埋立てピット内に搬入して埋め立てた廃棄物上に覆土を行った後、前記屋根全体を前記埋め立てを行った単位埋立てピット分だけ終点側へ移動させることにより、前記造成した終点側の単位埋立てピット及び該単位埋立てピットに隣接する終点側の単位埋立てピット区画の上に移設させ、前記廃棄物と覆土による埋立てと単位埋立てピット区画の造成とを順次繰り返して行うことを特徴とする廃棄物の埋立て処理方法。
【発明の詳細な説明】
【０００１】
【発明の属する技術分野】
本発明は、廃棄物の埋立て処理方法に関し、特に、単位埋立てピットと単位埋立てピット区画を覆う屋根を形成することにより、次に埋立処理を行う単位埋立てピット区画の造成を天候に左右されることなく行うことができるとともに、屋根の移設中においても廃棄物の埋立て作業を行うことができる廃棄物の埋立て処理方法に関するものである。
【０００２】
【従来の技術】
一般家庭から出される不燃物や焼却場等から排出される焼却灰等の廃棄物は、最終的に湾岸等の埋立地に搬入して埋立て処理されている。
【０００３】
しかし、この廃棄物の埋立て処理では、例えば、広い窪地を造成した埋立て予定地を確保しなければならないという問題があり、都市部の近郊に衛生的に大量の廃棄物を埋立てできる用地を確保することは困難なことが予想される。
【０００４】
このような問題に対処して、例えば、特公平７−３４９００号公報に示されるような廃棄物の埋立て処理方法が提案されている。
【０００５】
この廃棄物の埋立て処理方法は、先ず、廃棄物を搬入して埋め立てる造成前の埋立て予定地を区画して始点側から終点側に並んだ複数の単位埋立てピット区画を形成する。
【０００６】
次に、始点側の区画を造成して単位埋立てピットを形成し、この単位埋立てピットの上部を覆う屋根を移設可能に形成する。
【０００７】
そして、この屋根の下の単位埋立てピットに廃棄物を搬入して埋め立てるとともに、この単位埋立てピットに隣接する終点側の単位埋立てピット区画の造成を行う。
【０００８】
屋根に覆われた単位埋立てピットが搬入して埋め立てた廃棄物でいっぱいになると、廃棄物上に覆土を行って、その後、屋根を、隣接する終点側の単位埋立てピット上に移設させ、廃棄物と覆土による埋立てを順次繰り返しながら廃棄物の埋立て処理をする。
【０００９】
この廃棄物の埋立て処理方法では、かかる構成によって、用地の確保を比較的容易にするとともに、雨の侵入を防止しながら、大量の廃棄物を衛生的に処理することができる。
【００１０】
【発明が解決しようとする課題】
しかしながら、上記従来の廃棄物の埋立て処理方法においては、屋根で覆う単位埋立てピットが１つであるため、次に埋立処理を行う単位埋立てピット区画の造成が天候に左右されるとともに、屋根の移設中は廃棄物の埋立て作業ができないという問題を有している。
【００１１】
本発明は、上記従来の廃棄物の埋立て処理方法が有する問題点に鑑み、単位埋立てピットと単位埋立てピット区画を覆う屋根を形成することにより、次に埋立処理を行う単位埋立てピット区画の造成を天候に左右されることなく行うことができるとともに、屋根の移設中においても廃棄物の埋立て作業を行うことができる廃棄物の埋立て処理方法を提供することを目的とする。
【００１２】
【課題を解決するための手段】
上記目的を達成するため、本発明の廃棄物の埋立て処理方法は、廃棄物を搬入して埋め立てる造成前の埋立て予定地を区画して始点側から終点側に並んだ複数の単位埋立てピット区画を形成し、前記始点側の区画を造成して単位埋立てピットを形成し、該少なくとも１つの単位埋立てピット及び該単位埋立てピットに隣接する終点側の少なくとも１つの単位埋立てピット区画の上部を覆う屋根を移設可能に設け、該屋根の下で、始点側の単位埋立てピットに廃棄物を搬入して埋め立てるとともに、前記隣接する終点側の単位埋立てピット区画の造成を行い、前記単位埋立てピット内に搬入して埋め立てた廃棄物上に覆土を行った後、前記屋根全体を前記埋め立てを行った単位埋立てピット分だけ終点側へ移動させることにより、前記造成した終点側の単位埋立てピット及び該単位埋立てピットに隣接する終点側の単位埋立てピット区画の上に移設させ、前記廃棄物と覆土による埋立てと単位埋立てピット区画の造成とを順次繰り返して行うことを特徴とする。
【００１３】
この廃棄物の埋立て処理方法は、単位埋立てピット及び隣接する単位埋立てピット区画の上部を覆う屋根を移設可能に設け、屋根の下で、単位埋立てピットに廃棄物を搬入して埋め立てるとともに、単位埋立てピット区画の造成を行い、単位埋立てピット内に搬入して埋め立てた廃棄物上に覆土を行った後、屋根全体を前記埋め立てを行った単位埋立てピット分だけ終点側へ移動させることにより、造成した単位埋立てピット及び単位埋立てピットに隣接する単位埋立てピット区画の上に移設させ、廃棄物と覆土による埋立てと単位埋立てピット区画の造成とを順次繰り返して行うことから、次に埋立処理を行う単位埋立てピット区画の造成を天候に左右されることなく行うことができるとともに、屋根の移設中においても、造成した単位埋立てピットで廃棄物の埋立て作業を行うことができる。
【００１４】
【発明の実施の形態】
以下、本発明の廃棄物の埋立て処理方法の実施の形態を図面に基づいて説明する。
【００１５】
図１〜図２に、本発明の廃棄物の埋立て処理方法の一実施例を示す。
この廃棄物の埋立て処理方法は、先ず、図２（ａ）に示すように、廃棄物を搬入して埋め立てる造成前の埋立て予定地を区画して始点側から終点側に並んだ複数の単位埋立てピット区画１ａ〜１ｅを形成する。
この単位埋立てピット区画１ａ〜１ｅは、並び方向の長さがほぼ等しく、かつ各々の間隔がほぼ等しくなるように設定される。
【００１６】
そして、図１（ａ）及び図２（ｂ）、（ｃ）に示すように、始点側の区画１ａを造成して単位埋立てピット２ａを形成し、単位埋立てピット２ａ及び単位埋立てピット２ａに隣接する終点側の単位埋立てピット区画１ｂの上部を覆う屋根３を移設可能に形成する。
【００１７】
この場合、屋根３は、始点側の単位埋立てピット区画１ａを単位埋立てピット２ａに造成する前に設置することも可能であるし、また、造成後に設置することも可能である。
なお、屋根３は、搬入して埋め立てた廃棄物４の飛散等を防止するために、天板以外に側壁を備えることが望ましい。
【００１８】
そして、図１（ｂ）に示すように、屋根３の下で、始点側の単位埋立てピット２ａに廃棄物４を搬入して埋め立てるとともに、隣接する終点側の単位埋立てピット区画１ｂの造成を行う。
【００１９】
この単位埋立てピット区画１ｂの造成は、始点側の単位埋立てピット２ａが廃棄物４でいっぱいになる前に工事を完了させる。
【００２０】
さらに、図１（ｃ）に示すように、単位埋立てピット内２ａの廃棄物４がいっぱいになった段階で、搬入して埋め立てた廃棄物４上に覆土５を敷設し、その後、屋根３を、造成した終点側の単位埋立てピット２ｂ及びピット２ｂに隣接する終点側の単位埋立てピット区画１ｃの上に移設させる。
この場合において、屋根３の移設は、クレーン等の適宜の手段によって容易に実施することができる。
なお、屋根３の移設を容易に行うことができるように、屋根３を案内するレール等のガイドを敷設することもできる。
【００２１】
これにより、屋根３は、１ピット分移設したことになり、造成した終点側の単位埋立てピット２ｂ及びピット２ｂに隣接する終点側の単位埋立てピット区画１ｃの上を覆うことになる。
【００２２】
そして、この移設した屋根３の下で、単位埋立てピット２ｂに廃棄物４を搬入して埋め立てるとともに、隣接する終点側の単位埋立てピット区画１ｃの造成を行い、以後、廃棄物４と覆土５による単位埋立てピット２ｃ〜２ｅの埋立てと、単位埋立てピット区画１ｄ〜１ｅの造成とを順次繰り返して行い、最後の単位埋立てピット２ｅの埋め立てが終了するまで行う。
【００２３】
かくして、本実施例の廃棄物の埋立て処理方法では、図１〜図２に示すように、単位埋立てピット２ａ及び隣接する単位埋立てピット区画１ａの上部を覆う屋根３を移設可能に設け、屋根３の下で、単位埋立てピット２ａに廃棄物４を搬入して埋め立てるとともに、単位埋立てピット区画１ａの造成を行い、単位埋立てピット２ａ内に搬入して埋め立てた廃棄物４上に覆土５を行った後、屋根３を、造成した単位埋立てピット２ｂ及び単位埋立てピット２ｂに隣接する単位埋立てピット区画１ｃの上に移設させ、廃棄物４と覆土５による単位埋立てピット２ｂ〜２ｅ埋立てと単位埋立てピット区画１ｃ〜１ｅの造成とを順次繰り返して行うことから、図１（ａ）、（ｂ）に示すように、埋立処理を次に行う単位埋立てピット区画１ａ〜１ｅの造成を天候に左右されることなく行うことができるとともに、図１（ｃ）に示すように、屋根３の移設中においても、造成した単位埋立てピット２ｂ〜２ｅで廃棄物４の埋立て作業を行うことができる。
【００２４】
以上、本発明の廃棄物の埋立て処理方法について、その実施例に基づいて説明したが、本発明は上記実施例に記載した構成に限定されるものではなく、例えば、上記実施例においては、１つの単位埋立てピットと１つの単位埋立てピット区画を覆う屋根について説明したが、これに代えて、単位埋立てピット又は単位埋立てピット区画を覆う屋根の少なくとも一方を、２つ以上の単位埋立てピット又は単位埋立てピット区画を覆う大きさに形成するようにしたり、隣接するピットの大きさを異ならして形成する（この場合は、交互に同じ大きさのピットを形成するようにする。）等、その趣旨を逸脱しない範囲において適宜その構成を変更することができるものである。
【００２５】
【発明の効果】
本発明の廃棄物の埋立て処理方法によれば、単位埋立てピット及び隣接する単位埋立てピット区画の上部を覆う屋根を移設可能に設け、屋根の下で、単位埋立てピットに廃棄物を搬入して埋め立てるとともに、単位埋立てピット区画の造成を行い、単位埋立てピット内に搬入して埋め立てた廃棄物上に覆土を行った後、屋根全体を前記埋め立てを行った単位埋立てピット分だけ終点側へ移動させることにより、造成した単位埋立てピット及び単位埋立てピットに隣接する単位埋立てピット区画の上に移設させ、廃棄物と覆土による埋立てと単位埋立てピット区画の造成とを順次繰り返して行うことから、次に埋立処理を行う単位埋立てピット区画の造成を天候に左右されることなく行うことができるとともに、屋根の移設中においても、造成した単位埋立てピットで廃棄物の埋立て作業を行うことができ、廃棄物の埋立て処理を円滑に行うことができる。
【図面の簡単な説明】
【図１】  本発明の廃棄物の埋立て処理方法の一実施例を示し、（ａ）は第２工程を示す断面図、（ｂ）は第３工程を示す断面図、（ｃ）は第４工程を示す断面図である。
【図２】  同実施例の廃棄物の埋立て処理方法を示し、（ａ）は第１工程を示す平面図、（ｂ）は第２工程を示す平面図、（ｃ）は（ｂ）の断面図である。
【符号の説明】
１ａ〜１ｅ  単位埋立てピット区画
２ａ〜２ｅ  単位埋立てピット
３    屋根
４    廃棄物
５    覆土
【図１】
0003718453.tif 000002
【図２】
0003718453.tif 000003